(57)【要約】【課題】  組み立て時の作業性を向上させた点灯装置内蔵形の蛍光ランプ装置を提供するとともに、器具コストの低減を図ることが可能な照明器具を提供する。【解決手段】  屈曲状の放電路の両端部に電極１１ａが封装された発光管１１と、発光管１１を点灯する点灯部品１６が設けられた配線基板１７と、配線基板１７を支持するとともに、配線基板１７の少なくとも一部が外部に露出する開口部１２ｃを設けた第１のケース１２ａと、第１のケース１２ａの開口部１２ｃを覆う第２のケース１２ｂと、第１、第２のケースのいずれか一方に設けられた発光管１１の支持部１２ｄと、第１、第２のケースのいずれか一方に設けられた電気端子部１４とを具備する構成とする。【選択図】        図１
2006196431.tif 000002
【特許請求の範囲】
【請求項１】
屈曲状の放電路の両端部に電極が封装された発光管と；
発光管を点灯する点灯部品が設けられた配線基板と；
配線基板を支持するとともに、配線基板の少なくとも一部が外部に露出する開口部を設けた第１のケースと；
第１のケースの開口部を覆う第２のケースと；
第１、第２のケースのいずれか一方に設けられた発光管の支持部と；
第１、第２のケースのいずれか一方に設けられた電気端子部と；
を具備することを特徴とする蛍光ランプ装置。
【請求項２】
前記配線基板は、基板面が発光管軸線方向に略平行になるように配置されており、点灯部品が発光管軸線と略直交する方向に露出するように基板面に実装されていることを特徴とする請求項１に記載の蛍光ランプ装置。
【請求項３】
前記第１のケースは、略Ｌ字形に開口する開口部を形成した箱体で構成されるとともに、第２のケースは、第１のケースの開口部を塞ぐように略Ｌ字形に開口する開口部が形成された箱体で構成されており、第１および第２のケースは互いの開口部がそれぞれ閉塞するように組み合わされて固定されていることを特徴とする請求項１または２に記載の蛍光ランプ装置。
【請求項４】
前記発光管の支持部は、第１のケースに設けたことを特徴とする請求項１ないし３いずれか一に記載の蛍光ランプ装置。
【請求項５】
前記発光管の支持部は、第２のケースに設けたことを特徴とする請求項１ないし３いずれか一に記載の蛍光ランプ装置。
【請求項６】
請求項１ないし５いずれか一に記載の蛍光ランプ装置を具備することを特徴とする照明器具。
【発明の詳細な説明】
【技術分野】
【０００１】
本発明は、屈曲状の放電路を備えた発光管を有する蛍光ランプ装置及びこの蛍光ランプ装置を使用した照明器具に関する。
【背景技術】
【０００２】
従来、例えば下記の特許文献１に示されるように、発光管の形状を略Ｕ字形に屈曲したり、２本の直管形のガラス管端部を相互に接合し略Ｈ字形にするなどの構成により屈曲状の放電路を形成した、いわゆるコンパクト形の蛍光ランプが普及している。
【０００３】
この種の蛍光ランプは、発光管の両端にフィラメント電極を封入し、１個の口金が取付られた片口金形の蛍光ランプとして構成され、面状をなして光が平面的に広がるので照度分布が均一化でき、さらに照明器具としての薄型化に有利なため、卓上スタンド、ベースライト、ダウンライトなどの面光源として広く使用されている。
【０００４】
一方、この種の蛍光ランプにおいては、ランプを点灯する点灯装置は蛍光ランプに設置されておらず、器具側に設置され、照明器具としては高価なインバータ等からなる点灯装置を内蔵した構成となって、器具コストが上昇する要因となり、特に近年では店舗等のリニューアルが頻繁に行われる状況から、如何に器具コストの低減を図るかが重要な課題となっている。
【０００５】
このため、高価な点灯装置を器具側に設けずに、ランプ側に内蔵させた蛍光ランプ装置を光源として使用する方法がある（例えば、特許文献２）。
【０００６】
特許文献２に示されるものは、屈曲形のバルブの一端部を収納ケースに挿入して保持させ、収納ケース内に点灯装置の回路基板を収納し、ケースカバーに受電ピンを設ける構成をなし、点灯装置を内蔵した、いわゆる片口金のコンパクト形の蛍光ランプ装置を構成したものである。
【特許文献１】特開平８−１７３３５号公報
【特許文献２】特開平６−２８３１３９号公報
【発明の開示】
【発明が解決しようとする課題】
【０００７】
この点灯装置内蔵形の蛍光ランプ装置を使用すれば、器具コストの低減を図ることが可能となるが、一方、近年では省電力、省スペース等から蛍光ランプ装置自体の小形化が要求され、発光管がより一層小形化されている。
【０００８】
発光管の小形化に合わせ、発光管を支持し点灯装置を収容するためのケースも小形にして、蛍光ランプ装置全体の小形化をなす必要がある。
【０００９】
特に、発光管の管外径がより細くなり、小径の発光管に合わせてケースの高さ寸法を小さくして薄形化を図って蛍光ランプ装置全体の小形化を達成する必要がある。少なくとも発光管の管外径寸法と略同等の高さ寸法に構成することが要求されている。
【００１０】
このように、点灯装置を収容するケースが薄形化されると、点灯装置の点灯部品を実装した配線基板を収納するスペースが狭くなり、かつ配線基板と発光管や電源に接続するための電気端子部との配線を狭い空間で行うことになって、ランプの組み立て作業が煩雑になる。
【００１１】
特許文献２に示されるものは、点灯回路基板と一対の電極に電気的に接続されたワイヤーの先端部を圧接ピンよりなる受電ピン内に、その内端から外端へ向けて挿通するようにして、組み立て時の作業性を高めている。
【００１２】
しかしながら、特許文献２はケースカバーの内側に受電ピンを設けた構成であるために、受電ピンとケース本体に設けられた点灯回路基板とのワイヤーによる接続は、ケースカバーの裏側から行う必要があり、しかも受電ピンは極めて小さい部品であるため、配線作業が困難なものであった。
【００１３】
本発明は、上述した従来の問題、課題に鑑みてなされたもので、組み立て時の作業性を向上させた点灯装置内蔵形の蛍光ランプ装置を提供し、器具コストの低減を図ることが可能な照明器具を提供することを目的とする。
【課題を解決するための手段】
【００１４】
請求項１に記載の蛍光ランプ装置の発明は、屈曲状の放電路の両端部に電極が封装された発光管と；発光管を点灯する点灯部品が設けられた配線基板と；配線基板を支持するとともに、配線基板の少なくとも一部が外部に露出する開口部を設けた第１のケースと；第１のケースの開口部を覆う第２のケースと；第１、第２のケースのいずれか一方に設けられた発光管の支持部と；第１、第２のケースのいずれか一方に設けられた電気端子部と；を具備することを特徴とする。
【００１５】
請求項１の発明によれば、第１のケースが配線基板を支持するとともに、配線基板の少なくとも一部が外部に露出する開口部を設けた構成となし、組み立て時の作業性を向上させた点灯装置内蔵形の蛍光ランプ装置が構成される。
【００１６】
本発明において、発光管は、一本の発光管を略Ｕ字形に屈曲したもの、複数本の直管形のガラス管端部を相互に接合し略Ｈ字形に連結したもの、さらには発光管を屈曲または連結等して、円形、楕円形、多角形、矩形等の平面形状に構成したもの、連続した蛇行状に形成したもの、スパイラル状に巻いたもの等、屈曲状の放電路の両端部に電極を有して屈曲状をなす形状に構成したもの全てを許容する。
【００１７】
第１のケースは、配線基板を支持するための開口部を有する容積の大きな箱状をなし、第２のケースは第１のケースの開口部を覆うための容積の小さな蓋状をなしていることが好ましいが、第１、第２のケースの容積比は、本発明を実現するための必要条件ではなく、例えば両者を同じ容積に分割して構成しても、また第２のケースの容積が第１のケースの容積より大となしてもよい。
【００１８】
また、第１のケース及び第２のケースは、それぞれが、さらに分割され、組み立て時にそれぞれが一体化されるように構成したものでもよく、第１のケースが配線基板を支持し、第２のケースが第１のケースの開口部を覆うもの全てを許容する。
【００１９】
配線基板の少なくとも一部が外部に露出する開口部は、第１のケースに支持された配線基板と発光管または電気端子部等との配線作業を行うための開口部であり、開口部の開口面積を大きくして、配線基板の基板面をできる限り多く露出させることにより配線作業を容易にすることが好ましいが、例えば、発光管や電気端子部を接続する部分の近辺のみを開口して、接続に必要な配線基板の一部分のみを露出させて配線作業を行えるようにしてもよい。
【００２０】
さらには、第１のケースは配線基板の一端部のみを支持する構成となし、点灯部品及び
配線基板の全てが外部に露出するようにしてもよく、要は、配線作業が可能となるように配線基板の少なくとも一部を外部に露出させるために開放された開口もしくは開放された部分が存すればよい。
【００２１】
第１、第２のケースのいずれか一方に設けられる電気端子部は、ピン状若しくはＬ字形等に突出する雄形の端子が好ましいが、凹状の受け端子をなした雌形端子でもよく、電気的な接続機能をなす全ての手段を許容する。
【００２２】
また、電気端子部をケースに設ける構成は、ケースに例えばピン状の端子が合成樹脂からなるケースに一体に埋め込み成型され、ケースに直接固定されるものであっても、またケースにはピン状の端子が貫通する小孔を設け、この小孔に、別途の部品、例えば配線基板等に固定されたピン状の端子を挿通させてケースからピンを突出させるような、直接固定ではなく、間接的に電気端子部がケースに設けられるようなものであってもよく、要は点灯部品に電源を供給するように、直接もしくは間接的に電気端子部がケースに設けられている構成の全てを許容する。
【００２３】
請求項２に記載の発明は、請求項１に記載の蛍光ランプ装置において、前記配線基板は、基板面が発光管軸線方向に略平行になるように配置されており、点灯部品が発光管軸線と略直交する方向に露出するように基板面に実装されていることを特徴とする。
【００２４】
請求項２の発明によれば、点灯部品が発光管軸線と略直交する方向に露出するように基板面に実装して組み立て時の作業性を向上させ、さらに配線基板の基板面が発光管軸線方向に略平行になるように配置して薄形化をも可能にした点灯装置内蔵形の蛍光ランプ装置が構成される。
【００２５】
請求項３に記載の発明は、請求項１または２に記載の蛍光ランプ装置において、前記第１のケースは、略Ｌ字形に開口する開口部を形成した箱体で構成されるとともに、第２のケースは、第１のケースの開口部を塞ぐように略Ｌ字形に開口する開口部が形成された箱体で構成されており、第１および第２のケースは互いの開口部がそれぞれ閉塞するように組み合わされて固定されていることを特徴とする。
【００２６】
請求項３の発明によれば、第１および第２のケースは互いの開口部がそれぞれ閉塞するように組み合わされて固定されている構成となし、組み立て時の作業性を向上させた点灯装置内蔵形の蛍光ランプ装置が構成される。
【００２７】
請求項４に記載の発明は、請求項１ないし３いずれか一に記載の蛍光ランプ装置において、前記発光管の支持部は、第１のケースに設けたことを特徴とする。
【００２８】
請求項４の発明によれば、発光管の支持部は、配線基板を支持する第１のケースに設けた構成となし、組み立て時の作業性を向上させた点灯装置内蔵形の蛍光ランプ装置が構成される。
【００２９】
請求項５に記載の発明は、請求項１ないし３いずれか一に記載の蛍光ランプ装置において、前記発光管の支持部は、第２のケースに設けたことを特徴とする。
【００３０】
請求項５の発明によれば、発光管の支持部は、第１のケースの開口部を覆う第２のケースに設けた構成となし、組み立て時の作業性を向上させた点灯装置内蔵形の蛍光ランプ装置が構成される。
【００３１】
請求項６に記載の照明器具の発明は、請求項１ないし５いずれか一に記載の蛍光ランプ
装置を具備することを特徴とする。
【００３２】
請求項６の発明によれば、器具コストの低減を図ることが可能な照明器具が構成される。
【発明の効果】
【００３３】
請求項１の発明によれば、第１のケースが配線基板を支持するとともに、配線基板の少なくとも一部が外部に露出する開口部を設けた構成となし、組み立て時の作業性を向上させた点灯装置内蔵形の蛍光ランプ装置を提供することができる。
【００３４】
請求項２の発明によれば、点灯部品が発光管軸線と略直交する方向に露出するように基板面に実装して組み立て時の作業性を向上させ、さらに配線基板の基板面が発光管軸線方向に略平行になるように配置して薄形化をも可能にした点灯装置内蔵形の蛍光ランプ装置を提供することができる。
【００３５】
請求項３の発明によれば、第１および第２のケースは互いの開口部がそれぞれ閉塞するように組み合わされて固定されている構成となし、組み立て時の作業性を向上させた点灯装置内蔵形の蛍光ランプ装置が構成される。
【００３６】
請求項４の発明によれば、発光管の支持部は、配線基板を支持する第１のケースに設けた構成となし、組み立て時の作業性を向上させた点灯装置内蔵形の蛍光ランプ装置を提供することができる。
【００３７】
請求項５の発明によれば、発光管の支持部は、第１のケースの開口部を覆う第２のケースに設けた構成となし、組み立て時の作業性を向上させた点灯装置内蔵形の蛍光ランプ装置を提供することができる。
【００３８】
請求項６の発明によれば、器具コストの低減を図ることが可能な照明器具を提供することができる。
【発明を実施するための最良の形態】
【００３９】
以下、本発明に係る蛍光ランプ装置及びこの蛍光ランプ装置を使用した照明器具の実施形態について説明する。
【実施例１】
【００４０】
図１〜図４は、本発明の第一の実施形態である蛍光ランプ装置を示し、図１は一部を開放して示した斜視図、図２は一部を切り欠いて示す正面図、図３は図２のＡ−Ａ線に沿う断面図、図４は図２のＢ−Ｂ線に沿う断面図である。
【００４１】
図５は、本発明の第一の実施形態である照明器具を示し、天井面に設置された照明器具を概略的に示した断面図である。
【００４２】
まず、本実施形態の蛍光ランプ装置の構成につき説明する。
【００４３】
１０は蛍光ランプ装置で、発光管１１とケース１２及びケース１２内に収容される点灯装置１３で構成される。
【００４４】
発光管１１は、透明な無鉛ガラスよりなる１本の直管のガラス管を、略Ｕ字形に屈曲して屈曲状の放電路を構成し、ガラス管の内面には例えば３波長の蛍光体膜を形成する。
【００４５】
ガラス管は、６〜１８ｍｍの管外径を有するものから選択され、本実施形態では約１２ｍｍのガラス管を用いている。
【００４６】
ガラス管の両端部には、電極１１ａ、１１ａがステムシールにより封止された封止部１１ｂ、１１ｂを形成する。
【００４７】
封止部１１ｂ、１１ｂには、排気用の細管チップ１１ｃ、１１ｃが発光管の軸線ａに沿い、封止部の端面略中央から突出して形成される。この細管チップ内に補助アマルガム等を封入してもかまわない。
【００４８】
さらに、封止部１１ｂ、１１ｂからは、電極１１ａ、１１ａに接続される一対、二組のリードワイヤー１１ｄ、１１ｄ、４本が気密にして導出される。
【００４９】
発光管１１内には、アルゴン（Ａｒ）とクリプトン（Ｋｒ）の混合ガス等からなる希ガスを封入する。ネオン（Ｎｅ）を封入してもかまわない。
【００５０】
上記により、全体として平面視が略Ｕ字形の面状光源をなす発光管１１が構成される。
【００５１】
上記のように構成された発光管１１は、ケース１２に組み込まれて蛍光ランプ装置１０を構成する。
【００５２】
すなわち、ケース１２は第１のケース１２ａと第２のケース１２ｂからなる。
【００５３】
第１のケース１２ａは、上部に開口部１２ｃを有し、縦断面形状が略小判形状をなし、舟底状の底面を有する箱体で、ポリブチレンテレフタノール（ＰＢＴ）などの耐熱性でかつ耐光性を有する電気絶縁性の合成樹脂で構成する。
【００５４】
第２のケース１２ｂは、第１のケース１２ａの開口部１２ｃを塞ぐ縦断面が略コ字状の蓋体をなし、第１のケースと同材質の合成樹脂で構成する。
【００５５】
箱状をなす第１のケース１２ａの一側面には、電源供給用の電気端子部を構成する一対の端子ピン１４、１４が２本突出して設けられる。
【００５６】
端子ピン１４、１４は導電性金属よりなり、第１のケース１２ａの樹脂成形時に一体成形されて支持される。
【００５７】
第１のケース１２ａの側面には、一対の端子ピン１４、１４の間に位置して、端子ピンと平行に突出するガイド突起部１５を一体に形成する。
【００５８】
ガイド突起部１５は、後述する照明器具のソケットに蛍光ランプ装置を装着する際のガイド機能をなすもので、突起部の内部に中空部１５ａを形成する。
【００５９】
さらに、第１のケース１２ａの他側面に、発光管の支持部となる２個の円形貫通孔で構成した支持孔１２ｄ、１２ｄを形成する。
【００６０】
支持孔１２ｄ、１２ｄの直径は、発光管１１の管外径と略同等か若干大きな寸法に形成する。
【００６１】
この支持孔１２ｄ、１２ｄには、発光管１１両端の封止部１１ｂ、１１ｂが挿入され、封止部１１ｂ、１１ｂの外面と支持孔１２ｄ、１２ｄの周辺に耐熱性の接着剤等を塗布し
て発光管１１を支持し固定する。
【００６２】
この際、図４に示すように、発光管１１の細管チップ１１ｃ、１１ｃが略中央に位置し、チップを挟んで上下に一対のリードワイヤー１１ｄ、１１ｄが位置するように配置する。
【００６３】
点灯装置１３は、発光管１１を点灯するための回路を構成する点灯部品１６と、点灯部品を実装してケース１２内に収容され支持される配線基板１７で構成する。
【００６４】
配線基板１７は、略長方形状をなしたプリント基板等からなり、各点灯部品１６が配線基板の基板面１７ａに対して垂直方向に搭載され実装される。
【００６５】
点灯部品１６は、インバータ等を用いて発光管１１を高周波点灯する回路を構成するための部品で、電解コンデンサ、バラスト巻線、フィルムコンデンサ、ＲＥＣ（整流素子、ダイオードブリッジ）、抵抗、トランジスタ、ＳＣＲなどのスイッチング素子等の電子部品で構成する。
【００６６】
点灯部品１６の内、高さ寸法の比較的大きな部品である電解コンデンサ１６ａは、その端子が配線基板１７の端部に基板面に沿った方向に略直角に折り曲げられており、第１のケース１２ａに形成されたガイド突起部１５内面の空間部１５ａ内に収納する。
【００６７】
他の点灯部品１６は、配線基板１７の表面、一部は裏面に実装される。
【００６８】
上記のように各点灯部品１６を実装した配線基板１７は、第１のケース１２ａ内に収容され、鋲止め、または耐熱性の接着剤等の手段で固定され支持される。
【００６９】
配線基板１７は、点灯部品１６を実装した基板面１７ａが、発光管軸線ａの方向に略平行で、かつ点灯部品が発光管軸線ａと略直交する方向に露出するようにして、第１のケースの開口部１２ｃから見えるように配置すると共に、配線基板１７の裏面と第１のケース底面との間に空間部Ｓを有するようにして収容する。
【００７０】
さらに、配線基板１７の出力側となる端部１７ｂは、発光管１１の封止部１１ｂ、１１ｂに突出して設けられた細管チップ１１ｃ、１１ｃの下側に位置させ、上下に間隔を有して導出された一対のリードワイヤー１１ｄ、１１ｄの根本の間に挿入して設置する。
【００７１】
これにより、配線基板１７の端部１７ｂが、発光管の細管チップ１１ｃ、１１ｃの先端部より封止部１１ｂ、１１ｂ側に配置され、配線基板１７の長手方向への突出長が短くなり、発光管１１とケース１２を含めた長手方向の寸法が長くならないようにしている。
【００７２】
さらに、一対のリードワイヤー１１ｄ、１１ｄが、配線基板１７を挟んで配線基板の基板面１７ａにより上下に隔離され、各ワイヤー間の電気絶縁を施すようになっている。
【００７３】
各一対のリードワイヤー１１ｄ、１１ｄは、配線基板１７の出力端子部に接続される。
【００７４】
さらに、配線基板１７の入力側となる端部１７ｃは、第１のケース１２ａの端子ピン１４、１４に対向して配置され、各端子ピン１４，１４と配線基板の入力端子部がワイヤー１７ｄ、１７ｄにより接続される。
【００７５】
上記のように点灯装置１３を構成する配線基板１７を収容したケース１２は、蓋体となる第２のケース１２ｂを第１のケース１２ａの開口部１２ｃに嵌めこみ、耐熱性の接着剤
等の手段で固定して閉塞される。
【００７６】
次に、上記のように構成した蛍光ランプの組み立て手順につき説明する。
【００７７】
まず、配線基板１７には、上述したように点灯部品１６を実装する。
【００７８】
また、蓋体である第２のケース１２ｂは、第１のケース１２ａの開口部１２ｃから外して開放した状態にする。
【００７９】
次に、第１のケース１２ａを作業台に開口部１２ｃが上面になるように設置し、一側面に形成された支持孔１２ｄ、１２ｄに発光管１１の封入部１１ｂ、１１ｂを挿入し、さらに位置決めを行い接着剤で固定する。
【００８０】
電極１１ａ、１１ａの一対のリードワイヤー１１ｄ、１１ｄは、第１のケース１２ａの内側に導出させておく。
【００８１】
次に、予め点灯部品が実装された配線基板１７を用意し、その入力側に折り曲げられ突出した状態で実装された電解コンデンサ１６ａを、第１のケース１２ａに形成されたガイド突起部１５の空間部１５ａ内に挿入して収納する。
【００８２】
さらに、端子ピン１４、１４と配線基板１７の入力端子部とをワイヤー１７ｄ、１７ｄを用いて半田付けを行い接続する。
【００８３】
この際、小さい部品である端子ピン１４、１４は、配線基板１７を収容する第１のケース１２ａに設けられ、従来の特許文献２に示されるように、第１のケースとは別体の蓋体である第２のケース１２ｂに設けられていない。
【００８４】
このため、端子ピン１４，１４は、従来のように宙に浮いた状態の第２のケースにはなく、配線基板１７を収容する第１のケース１２ａ自体にあるため、作業台に設置された安定した状態で作業を行うことができ、狭い空間内でも作業がし易く、確実に接続することができ、作業性が向上する。
【００８５】
また配線基板１７と端子ピン１４、１４を近づけることが可能となり、ワイヤー１７ｄ、１７ｄの長さも短くて済む。
【００８６】
次に、図４に示すように、第１のケース１２ａ側に導出された一対２組のリードワイヤー１１ｄ、１１ｄの内、配線基板１７の上方に位置するリードワイヤーを、配線基板１７の上面の出力端子部に上方から垂直方向から挿入し半田付けを行い固定する。
【００８７】
さらに、配線基板１７の下方に位置するリードワイヤー１１ｄ、１１ｄを配線基板１７下面の出力端子部に下方から垂直方向に挿入し半田付けを行い固定する。
【００８８】
上記のように、入力端子部が端子ピン１４、１４に、出力端子部端が発光管１１に接続された状態の配線基板１７を、点灯部品１６が実装された基板面１７ａが、発光管１１の軸線ａ方向に略平行で、かつ開口部１２ｃに面するようにして、ケース内に押込み、側面視で配線基板１７がケース内の中間部分よりやや下方に位置し、ケースの底面との間に空間部Ｓが形成されるように配置し、配線基板１７の裏面四隅とケース内面に接着剤を塗布して固定する。
【００８９】
次に、蓋体となる第２のケース１２ｂを第１のケース１２ａの開口部１２ｃに嵌めこみ
、接着剤で固定して開口部１２ｃを閉塞する。
【００９０】
上記のように構成された蛍光ランプ装置１０は、発光管１１の先端からケース１２のガイド突起部１５頂点までのランプ装置全体の長さ寸法Ｌ１が約３３５ｍｍに構成され、点灯装置１３を内蔵し回路損失を含めたランプ電力が１８Ｗ、全光束が１２００ルーメン（ｌｍ）以上で、電源接続用の一対の端子ピン１４、１４を有するコンパクト形の蛍光ランプ装置として構成される。
【００９１】
上記のように構成された蛍光ランプ装置１０は、照明器具に設けられたソケットに挿入されて、各種の照明器具の光源として使用される。
【００９２】
図５に示すように、２０は店舗等の天井面Ｘに設置されたダウンライト式照明器具で、下面に開口部２１ａを有する金属製の箱状をなした本体ケース２１と、本体ケースの開口部２１ａに嵌合される金属性の反射体２２で構成する。
【００９３】
反射体２２は、例えばステンレス等の金属板で構成し、その反射面２２ａは鏡面塗装、白色光沢塗装、反射シートなどで鏡面または梨地等に仕上げ、下面周囲に飾り枠２２ｂを一体に形成する。
【００９４】
反射体２２の側面板２２ｃの中央部分には、ソケット２３を設ける。
【００９５】
ソケット２３には、上述した蛍光ランプ装置１０のガイド突起部１５が挿入される受けガイド及び端子ピン１４，１４が挿入され電源に接続される受け端子が設けられている。
【００９６】
このソケットに１灯の蛍光ランプ装置１０を挿入して端子ピン１４、１４と受け端子を接続し、１灯の点灯装置を内蔵したコンパクト形の蛍光ランプ装置を有するダウンライト式照明器具２０として構成する。
【００９７】
上記に構成された照明器具は、発光管１１を点灯するための点灯装置１３は蛍光ランプ装置１０が内蔵しており、この照明器具２０には、従来の一般的な器具とは異なって高価な点灯装置を設置する必要はなく、器具としては比較的安価な本体ケース２１、反射体２２、ソケット２３等の部品で構成されコストを低減した安価な照明器具として構成される。
【００９８】
本実施形態では、発光管を、１本の直管のガラス管を略Ｕ字形に屈曲して略屈曲状の放電路を構成したが、２本の直管部の端部を互に加熱・溶融して突起穴を形成し、この突起穴の開口同士をつなぎ合わせて略Ｈ字形で屈曲状の放電路をなす面状光源を構成してもよい。
【００９９】
本実施形態では、配線基板と端子ピンとの接続部分及び発光管との接続部分が完全に外部に露出するように第１のケースの開口部を開口させたが、配線作業が困難とならない程度の範囲で、各接続部分を覆うように構成し、第１のケースの機械的な強度を高めると共に、蓋体となる第２のケースを極力小さいものとなし、蛍光ランプ装置全体の外観の意匠性を高めるようにしてもよい。
【０１００】
この場合、各接続部分を覆う幅、換言すれば各接続部分を覆う第１のケースの深さ寸法は、約２０ｍｍ以内に設定することにより、配線作業が困難とならず、かつ第１のケースの強度を確保することができる。
【０１０１】
さらに、蓋体をなす第２のケースを第１のケースの開口部に接着剤で固定したが、接着
剤を使用せずに、合成樹脂の弾性を利用した嵌め込み構造にしてもよく、さらに着脱が可能になるように構成してもよい。
【０１０２】
電気端子部を構成する端子ピンは、公知のシーリングローゼット方式に使用されるＬ形をなした端子でも、さらに一般配線器具のプラグに使用されているような平板形の端子で構成してもよい。
【０１０３】
さらに、照明器具は店舗等の施設用、業務用の照明器具に限らず、一般家庭用の照明器具でもよく、さらに屋内用、屋外用等全ての照明器具に適用可能である。
【０１０４】
本実施形態によれば、第１のケースである一つのケース自体に配線基板、電気端子部及び発光管の支持部があり、電気端子部が第１のケースとは別体の蓋体である第２のケースに設けられていない。
【０１０５】
このため、これらの部品をケースに対して、同一平面内で横並びに配置して作業台に設置することができ、安定した状態で行うことができ、狭い空間内でも作業がし易くなり確実に接続することができると共に作業性を向上させることができる。
【０１０６】
さらに、第１のケースに開口部を設け、点灯部品が発光管軸線と略直交する方向に露出するように配線基板を支持したので、発光管を長手方向にして寝かせた安定した状態で、かつ寝かせた発光管の上方から配線作業が行うことができ、より一層作業が容易となって作業性が向上する。
【０１０７】
特に、電気端子部を構成する小さい部品である端子ピンと配線基板との接続作業は、従来のように宙に浮いた状態で行う必要がなく、より一層作業が容易となって作業性が向上する。
【０１０８】
配線基板と端子ピンを近づけることが可能となり、両者を結ぶワイヤーも短くて済み、上述の作業性の向上も相まって蛍光ランプ装置のコストを低減することができる。
【０１０９】
また、配線基板は、基板面が発光管軸線方向に略平行になるように配置しているので、発光管とケースが長手方向に連続した薄形の蛍光ランプ装置に構成することができる。
【０１１０】
また、点灯部品が露出して見える開口部は、第２のケースで塞ぐことができ、外観意匠的にも良好となり商品性を損なうことがない。
【０１１１】
さらに、本実施形態によれば、上記のように組み立て時の作業性を向上させた点灯装置内蔵形の蛍光ランプ装置を提供することができ、この蛍光ランプ装置を光源として採用することにより照明器具のコスト低減が可能となる。
【０１１２】
次に、本発明の第二の実施形態について説明する。
【実施例２】
【０１１３】
図６は、本発明の第二の実施形態である蛍光ランプ装置を示し、（ａ）は蛍光ランプ装置の側面図、（ｂ）は蛍光ランプ装置を（ａ）の状態から分割した状態を示す側面図で、第一の実施形態と同一部分には同一符号を付してある。
【０１１４】
本実施形態は、第一の実施形態の蛍光ランプ装置において、第１のケース１２ａを舟底状の底面を有する箱体で構成し、第２のケース１２ｂを縦断面が略コ字状の蓋体をなして構成した方式に代えて、側面視で第１、第２のケースが略Ｌ字状をなす形状に分割して構
成したものである。
【０１１５】
すなわち、図６（ａ）で破線の分割線ｂで示すように、第１のケース１２ａは、やや深めの舟底状をなし略Ｌ字形に開口した開口部１２ｃが形成され、側面視で略Ｌ字状をなす箱体で構成する。
【０１１６】
第２のケース１２ｂは、浅めの舟底状をなし、第１のケースと同様に略Ｌ字形に開口した開口部１２ｃ'が形成された側面視で略Ｌ字状をなす箱体で構成する。
【０１１７】
第２のケース１２ｂのやや深めの舟底状をなす底部は、第１のケース１２ａの開口部１２ｃを塞ぐ蓋体の機能を有している。
【０１１８】
第１のケース１２ａには、第一の実施形態と同様に点灯部品１６を実装した配線基板１７を収容し、端子ピン１４、１４と配線基板１７の入力端子部を接続する。
【０１１９】
第２のケース１２ｂの側面には、第一の実施形態と同形状の発光管の支持部を構成する支持孔１２ｄ、１２ｄを形成し、発光管１１を接着剤等で固定し、電極のリードワイヤー１１ｄ、１１ｄを配線基板１７の出力端子部に接続する。
【０１２０】
上記ように構成した第１、第２のケース１２ａ、１２ｂは、互いの開口部１２ｃ、１２ｃ'を対向させて合わせ、互いの開口部１２ｃ、１２ｃ'がそれぞれ閉塞するように組み合わせ、その合わせ目に接着剤を塗布して固定し、互いの開口部を閉塞する。
【０１２１】
これにより、第１のケース１２ａの略Ｌ字形に開口した開口部１２ｃが、第２のケース１２ｂのやや浅い舟底の底面が蓋体の作用をなして第１のケース１２ａに収容された点灯部品１６及び配線基板１７を覆い閉塞する。
【０１２２】
本実施形態では、発光管１１のリードワイヤー１１ｄ、１１ｄと、配線基板１７出力端子部との接続作業が、両者を離した状態で行うことができ、作業スペースの確保ができることから、さらに作業が容易となり作業性がより向上する。
【０１２３】
この場合、リードワイヤー１１ｄ、１１ｄが長くなるが、発光管のリードワイヤーは、各種の仕様に合わせて元々が長く設定されているのでコスト的な支障は生じない。
【０１２４】
なお、リードワイヤー１１ｄ、１１ｄが長くなり、第１、第２のケースを合わせて組み立てる際に、長いリードワイヤーがケース内に曲がり込むが、各リードワイヤーは第一の実施形態と同様に配線基板１７で上下に隔離すると共に、ワイヤーが露出する部分には絶縁チューブ等を被覆して電気絶縁性を確保する。
【０１２５】
本実施形態において、第１のケース１２ａをやや深めの舟底状となし、第２のケース１２ｂよりも容積を大となしたが、両者の容積が等しくなるようにして分割するようにしても、さらには第１のケース１２ａの容積を第２のケース１２ｂの容積より小となし、開口部１２ｃの開口面積をさらに大きくして、点灯部品１６を含めた配線基板１７の外面への露出度を上げ、配線作業をさらにし易くし、作業性を向上するようにしてもよい。
【０１２６】
上記のように構成された蛍光ランプ装置１０は、第一の実施形態と同様に照明器具の光源として使用される。
【０１２７】
本実施形態におけるその他の構成、作動、組み立て手順、作用効果、各種の変形例等は、第一の実施形態と同様である。
【０１２８】
次に、本発明の第三の実施形態について説明する。
【実施例３】
【０１２９】
図７は、本発明の第三の実施形態である蛍光ランプ装置を示し、（ａ）は蛍光ランプ装置の側面図、（ｂ）は蛍光ランプ装置を（ａ）の状態から分割した状態を示す側面図で、第一、第二の実施形態と同一部分には同一符号を付してある。
【０１３０】
本実施形態は、第二の実施形態の蛍光ランプ装置において、側面視で第１、第２のケース１２ａ、１２ｂが略Ｌ字状をなす形状に分割した方式に代えて、第２のケース１２ｂを、発光管を支持する部分と、蓋体の作用をなす部分とに、さらに分割して構成したものである。
【０１３１】
すなわち、図７（ａ）に破線の２本の分割線ｃで示すように、第１のケース１２ａは、端子ピン１４、１４を支持するための側壁部分１２ａ'のみで構成する。
【０１３２】
第２のケース１２ｂは、筒状の箱体をなす蓋体部分１２ｂ'と、発光管を支持する側壁
部分１２ｂ''で構成する。
【０１３３】
第１のケース１２ａの側壁部分１２ａ'には、第一の実施形態と同様に点灯部品１６を
実装した配線基板１７の入力側の端部を耐熱性の接着剤等を使用して固定させて支持し、端子ピン１４、１４と配線基板１７の入力端子部とを接続する。
【０１３４】
配線基板１７は、第１のケース１２ａの側壁部分１２ａ'から突出し、点灯部品１６を
含めた全てが外面の露出している状態となり、第１のケース１２ａにおいて、側壁部分１２ａ'の周囲全体が配線基板１７を外部に露出させるための開口部１２ｃの役目を果す。
【０１３５】
第２のケース１２ｂの側壁部分１２ｂ''には、第一の実施形態と同形状の発光管１１の支持部を構成する支持孔１２ｄ、１２ｄを形成し、発光管１１を接着剤等で固定して支持する。
【０１３６】
上記のように配線基板１７を支持した第１のケース１２ａに、第２のケース１２ｂの筒状をなす蓋体部分１２ｂ'を、その一端側から筒内部に配線基板１７が収容されるように
して差し込み、一端側を第１のケース１２ａの側壁部分１２ａ'に突き合わせると共に、
筒の他端側に配線基板１７の出力側を露出させる。
【０１３７】
この露出した配線基板１７の出力端子部と発光管１１から引き出された電極のリードワイヤー１１ｄ、１１ｄを接続する。
【０１３８】
さらに、第２のケース１２ｂの発光管１１を支持する側壁部分１２ｂ''を、蓋体部分１２ｂ'の筒の他端側に突き合わせる。
【０１３９】
第１のケース１２ａと第２のケース１２ｂの各突き合わせ部分には接着剤を塗布して固定し、第１のケース１２ａの開口部１２ｃを閉塞する。
【０１４０】
配線基板１７と端子ピン１４、１４との接続部分及び発光管１１との接続部分を覆うことになる第１のケース１２ａの側壁部分１２ａ'、及び第２のケース１２ｂの側壁部分１
２ｂ''の幅、換言すれば各接続部分を覆う側壁部分１２ａ'及び１２ｂ''の深さ寸法Ｌ２
は、約２０ｍｍ以内に設定することにより、配線作業が困難とならず、かつケース全体の機械的強度を確保することができる。
【０１４１】
本実施形態では、配線基板が第１のケースの側壁部分から完全に露出しているので、配線作業のスペースが多くなり、さらに作業が容易となり作業性がより向上する。
【０１４２】
上記のように構成された蛍光ランプ装置１０は、第一、第二の実施形態と同様に照明器具の光源として使用される。
【０１４３】
本実施形態におけるその他の構成、作動、組み立て手順、作用効果、各種の変形例等は、第一、第二の実施形態と同様である。
【０１４４】
次に本発明の第四の実施形態について説明する。
【実施例４】
【０１４５】
図８〜図１６は、本発明の第四の実施形態である蛍光ランプを示し、図８は斜視図、図９は正面図、図１０は右側面図、図１１は上面図、図１２は底面図、図１３は背面図、図１４は図９のＤ−Ｄ線に沿い一部を断面し一部を切り欠いて示す側面図、図１５は図９のＥ−Ｅ線に沿う断面図、図１６は図１４の状態からケースを分割した状態を示す側面図であり、各図には第一、第二、第三の実施形態と同一部分には同一符号を付してある。なお、左側面図は右側面図と共通であり省略している。
【０１４６】
本実施形態は、第二の実施形態と同様に、第１、第２のケースを略Ｌ字状をなす形状に分割して構成し第１のケースに発光管の支持部を形成し、第２のケースに電気端子部を設け、かつ第１、第２のケースを各ケースの係合とネジ止めによる固定手段で支持し固定したものである。
【０１４７】
すなわち、図１６に示すように、第１のケース１２ａは、発光管１１との接続部分を覆う上壁部分１２ａ１と、舟底状をなした側壁部分１２ａ２とで、略Ｌ字形に開口した開口部１２ｃが形成され、側面視で略Ｌ字状をなす箱体で構成する。
【０１４８】
第２のケース１２ｂも、配線基板１７と端子ピン１４、１４との接続部分を覆う下壁部分１２ｂ１と舟底状をなす側壁部分１２ｂ２とで、第１のケースと同様に略Ｌ字形に開口した開口部１２ｃ'が形成された側面視で略Ｌ字状をなす箱体で構成する。
【０１４９】
第２のケース１２ｂは、第１のケース１２ａの開口部１２ｃを塞ぐ蓋体の機能を有している。
【０１５０】
第１のケース１２ａの上壁部分１２ａ１に、第一の実施形態と同形状の発光管の支持部を構成する支持孔１２ｄ、１２ｄを形成し、発光管１１両端の封止部１１ｂ、１１ｂを挿入して、その周辺に耐熱性の接着剤等を塗布して発光管１１を支持し固定する。
【０１５１】
本実施形態における第１のケース１２ａには、その舟底状をなした側壁部分１２ａ２の内面に、一対の支持凸状部１２ａ３を長手方向に間隔を有して一体に形成し、この支持凸状部１２ａ３をガイドとして点灯部品１６を実装した配線基板１７を挿入し、配線基板１７を第１のケース１２ａ内に支持し収容するようになっている。
【０１５２】
これにより、配線基板１７は点灯部品１６を実装した基板面１７ａが、発光管軸線ａの方向に略平行で、かつ点灯部品が発光管軸線ａと略直交する方向に露出するようにして、第1のケースの開口部１２ｃから見えるように配置されると共に、配線基板１７の裏面と
第１のケース底面との間に空間部Ｓが形成されるようにして収容される。
【０１５３】
発光管１１の電極の一対４本のリードワイヤー１１ｄ、１１ｄは、配線基板１７の一面に設けられた出力端子部に接続する。
【０１５４】
配線基板１７の入力側となる端部１７ｃは、第２のケース１２ｂの端子ピン１４、１４に対向して配置される。各端子ピン１４，１４は、先端に小孔が形成された中空スリーブ状の端子で構成されており、この小孔内に配線基板の入力端子部から導出されたワイヤー１７ｄ、１７ｄを挿通させて電気的に接続する。
【０１５５】
第１のケース１２ａには、舟底状をなす側壁部分１２ａ２の下端内面に係合爪１２ａ４を一体に突出させて形成し、上壁部分１２ａ１に凹部１２ａ５及び凹部の底面にネジ孔１２ａ６を形成する。
【０１５６】
第２のケース１２ｂには、下壁部分１２ｂ１に第１のケース１２ａの係合爪１２ａ４が
係合する係止孔１２ｂ４と、凹部１２ａ５に嵌合する凸部１２ｂ５を形成し、凸部の頂部にネジｎを挿通する貫通孔１２ｂ６を形成する。
【０１５７】
上記のように構成した第１および第２のケース１２ａ、１２ｂは、略Ｌ字形に開口した
互いの開口部１２ｃ、１２ｃ'がそれぞれ閉塞するように組み合わされ、第１のケース１
２ａの係合爪１２ａ４を第２のケースの係止孔１２ｂ４に挿入して係合させ、さらに第２のケースの凸部１２ｂ５を第１のケースの凹部１２ａ５に嵌合させ、ネジｎを凸部の貫通孔１２ｂ６から挿通させて凹部１２ａ５のネジ孔１２ａ６にねじ込み固定する。
【０１５８】
これにより、第１のケース１２ａの略Ｌ字形に開口した開口部１２ｃが、第２のケース
１２ｂにより閉塞されると共に、第１、第２のケースが係合爪１２ａ４と係止孔１２ｂ４の係合とネジｎのネジ止めによる固定手段で支持し固定される。
【０１５９】
次に、上記のように構成した蛍光ランプ装置の組み立て手順につき説明する。
【０１６０】
まず、第１のケース１２ａの上壁部分１２ａ１に形成された支持孔１２ｄ、１２ｄに、発光管１１両端の封止部１１ｂ、１１ｂを挿入し、その周辺に耐熱性の接着剤等を塗布して固定する。
【０１６１】
次に、配線基板１７を、第１のケース１２ａの支持凸状部１２ａ３をガイドにして挿入して第１のケース１２ａ内に収容する。
【０１６２】
次に、発光管１１の一対４本のリードワイヤー１１ｄ、１１ｄを、配線基板１７の一面に設けられた出力端子部にラッピング、溶接または半田付けを行い接続する。
【０１６３】
次に、配線基板１７に配線され突出した状態で実装された電解コンデンサ１６ａを、第２のケース１２ｂに形成されたガイド突起部１５の空間部１５ａ内に挿入して収納する。
【０１６４】
次に、第１および第２のケース１２ａ、１２ｂの略Ｌ字形に開口した開口部１２ｃ、１２ｃ'を互いに対向させて当接して、互いの開口部１２ｃ、１２ｃ'がそれぞれ閉塞するように組み合わせ、第１のケース１２ａの係合爪１２ａ４を第２のケースの係止孔１２ｂ４に挿入して係合させ、さらに第２のケースの凸部１２ｂ５を第１のケースの凹部１２ａ５に嵌合させ、ネジｎを凸部の貫通孔１２ｂから通させて凹部１２ａ５のネジ孔１２ａ６にねじ込み固定する。
【０１６５】
この際、配線基板の入力端子部に一端を接続したワイヤー１７ｄ、１７ｄの他端を、端子ピンの中空スリーブ内に挿通して先端の小孔から導出させる。この状態でスリーブ外面
をカシメることによりワイヤーとスリーブを固定し、最後に小孔から導出され突出したワイヤー先端を切断する。これにより端子ピン１４、１４と配線基板の入力端子部がワイヤー１７ｄ、１７ｄにより接続されるようにする。
【０１６６】
以上で、蛍光ランプ装置の組み立てが完了する。
【０１６７】
本実施形態において、第１、第２のケース１２ａ、１２ｂを固定するための固定手段は、ネジｎ及び係合爪１２ａ４と係止孔１２ｂ４との係合に手段に代えて、合成樹脂性ケースの弾性を利用した嵌め込み構造にしてもよく、さらには第一の実施形態と同様に接着剤で固定するようにしてもよい。
【０１６８】
本実施形態によれば、第１、第２のケース１２ａ、１２ｂを分離し、作業スペースを確保した状態で、第１のケースへの発光管１１の固定、さらには発光管１１のリードワイヤー１１ｄと配線基板１７との配線作業を行うことができ、作業が容易となり作業性がより向上する。
【０１６９】
また、端子ピン１４、１４と配線基板の入力端子部の接続作業は、単にワイヤー１７ｄ、１７ｄの他端を端子ピンの中空スリーブ内に挿通して先端の小孔から導出させて、カシメと突出したワイヤー先端を切断する簡単な作業で行うことができ、さらに作業が容易となり作業性がより向上する。
【０１７０】
さらに、配線基板１７は、第１のケース１２ａの支持凸状部１２ａ３をガイドにして挿入するようにしたので、配線基板を確実に第１のケース１２ａ内に支持し収容することができる。
【０１７１】
上記のように構成された蛍光ランプ装置１０は、第一、第二、第三の実施形態と同様に照明器具の光源として使用される。
【０１７２】
本実施形態におけるその他の構成、作動、組み立て手順、作用効果、各種の変形例等は、第一、第二、第三の実施形態と同様である。
【０１７３】
次に本発明の第五の実施形態について説明する。
【実施例５】
【０１７４】
図１７〜図１８は、本発明の第五の実施形態である蛍光ランプ装置を示し、図１７は蛍光ランプ装置の電気端子部を一部を切り欠いて概略的に示す説明図、図１８は電気端子部の変形例を一部を切り欠いて概略的に示す説明図で、図１７〜図１８には第一、第二、第三、第四の実施形態と同一部分には同一符号を付してある。
【０１７５】
本実施形態は、第一、第二、第三、第四の各実施形態において、電気端子部である端子ピン１４、１４と、配線基板１７の入力端子部とをワイヤーを用いた半田付けで接続する方式に代えて、半田レスとなしたプラグイン方式で構成し、より配線作業を簡易にし、作業性を向上させたものである。
【０１７６】
すなわち、図１７に示すように、第１のケース１２ａの端子ピンを支持する部分を一端が開放した円筒体からなるソケット１８に構成し、端子ピンとしてソケット１８の端面から外面に突出する一対の凸形ピン１４ａとソケットの内側に突出させた一対の凹形ピン１４ｂで構成する。
【０１７７】
配線基板１７の入力側には、入力端子部に接続された一対の凸ピン１４ｃを突出させて
設ける。
【０１７８】
配線基板と端子ピンの接続作業に当たっては、配線基板１７をソケット１８に挿入して一対の凸ピン１４ｃを、ソケット１８の内側に突出させた一対の凹形ピン１４ｂに差し込めばよく、いわゆるプラグイン方式で、半田付けの作業なしで簡単に配線作業が行える。
【０１７９】
さらに、図１８に示すように、ソケットの凸、凹の端子ピン１４ａ、１４ｂを省略して、ソケットの端面に一対の小孔１４ｄ、１４ｄを形成し、配線基板の一対の凸ピン１４ｃを直接ソケットの小孔１４ｄ、１４ｄに貫通させてソケットの端面から突出させるように構成し、より構成を単純化させるようにしてもよい。
【０１８０】
さらに、配線基板の一対の凸ピン１４ｃは、ピン状のものでなく、一般配線器具のプラグに使用されているような平形の端子で構成してもよい。この場合ソケットの端面に形成する小孔は、端子に合わせて平形の形状の孔を形成する。
【０１８１】
さらに、端子ピンは、公知のシーリングローゼット方式に使用されるＬ形をなした端子で構成してもよい。
【０１８２】
本実施形態によれば、いわゆるプラグイン方式で、半田付け作業なしの簡単な作業で行うことができ、さらに作業性を向上させることができる。
【０１８３】
上記のように構成された蛍光ランプ装置１０は、第一、第二、第三、第四の実施形態と同様に照明器具の光源として使用される。
【０１８４】
本実施形態におけるその他の構成、作動、組み立て手順、作用効果、各種の変形例等は、第一、第二、第三、第四の実施形態と同様である。
【０１８５】
以上、本発明の好適な実施形態を説明したが、本発明は上述の各実施形態に限定されることなく、本発明の要旨を逸脱しない範囲内において、種々の設計変更を行うことができる。
【図面の簡単な説明】
【０１８６】
【図１】本発明の第一の実施形態である蛍光ランプ装置を、一部を開放して示した斜視図。
【図２】同じく一部を切り欠いて示す正面図。
【図３】同じく図２のＡ−Ａ線に沿う断面図。
【図４】同じく図２のＢ−Ｂ線に沿う断面図。
【図５】本発明の第一の実施形態である照明器具を概略的に示した断面図。
【図６】本発明の第二の実施形態である蛍光ランプ装置を示し、（ａ）は蛍光ランプ装置の側面図、（ｂ）は蛍光ランプ装置を（ａ）の状態から分割した状態を示す側面図。
【図７】本発明の第三の実施形態である蛍光ランプ装置を示し、（ａ）は蛍光ランプ装置の側面図、（ｂ）は蛍光ランプ装置を（ａ）の状態から分割した状態を示す側面図。
【図８】本発明の第四の実施形態である蛍光ランプ装置の斜視図。
【図９】同じく正面図。
【図１０】同じく右側面図。
【図１１】同じくの上面図。
【図１２】同じく底面図。
【図１３】同じく背面図。
【図１４】同じく図９のＤ−Ｄ線に沿い一部を断面し一部を切り欠いて示す側面図。
【図１５】同じく図９のＥ−Ｅ線に沿う断面図。
【図１６】同じく図１４の状態からケースを分割した状態を示す側面図。
【図１７】本発明の第五の実施形態である蛍光ランプ装置の電気端子部を一部を切り欠いて概略的に示す説明図。
【図１８】同じく電気端子部の変形例を一部を切り欠いて概略的に示す説明図。
【符号の説明】
【０１８７】
１０    蛍光ランプ装置
１１    発光管
１１ａ  電極
１２    ケース
１２ａ  第１のケース
１２ｂ  第２のケース
１２ｃ  開口部
１２ｄ  発光管の支持部
１３    点灯装置
１４    電気端子部
１６    点灯部品
１７    配線基板
【図１】
2006196431.tif 000003
【図２】
2006196431.tif 000004
【図３】
2006196431.tif 000005
【図４】
2006196431.tif 000006
【図５】
2006196431.tif 000007
【図６】
2006196431.tif 000008
【図７】
2006196431.tif 000009
【図８】
2006196431.tif 000010
【図９】
2006196431.tif 000011
【図１０】
2006196431.tif 000012
【図１１】
2006196431.tif 000013
【図１２】
2006196431.tif 000014
【図１３】
2006196431.tif 000015
【図１４】
2006196431.tif 000016
【図１５】
2006196431.tif 000017
【図１６】
2006196431.tif 000018
【図１７】
2006196431.tif 000019
【図１８】
2006196431.tif 000020